(57)【要約】【課題】ペットの首輪等でベルト部分が引掛けても頸部が締まることを防止する可動バックルの提供。【解決手段】可動バックルは、ベルト体３両端を接続する上接続部１及び下接続部２からなり、上接続部１は、停止板１１、停止板前端の導入ユニット１２及び停止板後端の挟持ユニット１３を備え、該挟持ユニットは、ベルト体３の一端を挿入して挟持する間隔を設けた第一板体１３１、第二板体１３２、ベルト体一端を挿入した第一板体と第二板体を覆って締結する取外し部品１３３からなり、第二板体と第一板体に挿通して締結する固定部品１３４を備え、下接続部２は、前記上接続部の導入ユニット１２と着脱する本体ユニット２１を備え、後端にベルト体他端を締結する。【選択図】図１
0003212744.tif 000002
【実用新案登録請求の範囲】
【請求項１】
ペットの首輪等の可動バックルにおいて、
ベルト体の両端に接続される上接続部及び下接続部からなり、
上記上接続部は、停止板、停止板前端の導入ユニット及び停止板後端の挟持ユニットを備え、
該挟持ユニットは、ベルト体の一端を挿入して挟持する間隔を設けた第一板体と第二板体、及びベルト体一端を挿入した第一板体と第二板体を覆って締結する取外し部品からなり、ベルト体一端を挿入した第一板体と第二板体及び取外し部品に挿通して締結する固定部品を備え、
上記下接続部は、前記上接続部の導入ユニットと着脱する本体ユニットを備え、該本体ユニット後端にベルト体他端を締結する
ことを特徴とする可動バックル。
【請求項２】
前記挟持ユニットの第二板体は、前記固定部品を貫通する第二孔位置を形成すると共に、前記第一板体に対面する第二掛合体を設けたことを特徴とする請求項１記載の可動バックル。
【請求項３】
前記挟持ユニットの第一板体は、前記固定部品を貫通して、前記第二孔位置と対応する第一孔位置を形成し、更に前記第二板体に対面する第一掛合体を設けたことを特徴とする請求項２記載の可動バックル。
【請求項４】
前記挟持ユニットの取外し部品は、前記第一板体の第一孔位置と対応して前記固定部品の挿通孔として下孔位置及び該下孔位置と対応し該固定部品に対して盲孔となる上孔位置を形成することを特徴とする請求項３記載の可動バックル。
【請求項５】
前記ベルト体の一端は嵌合孔を設けて、該嵌合孔には前記固定部品を挿通することを特徴とする請求項４記載の可動バックル。
【考案の詳細な説明】
【技術分野】
【０００１】
本考案は、ペットの首輪などを固定する可動バックルに関するもので、上接続部と下接続部を含む。そのうち、上接続部は停止板、導入ユニット及び挟持ユニットを含む。該挟持ユニットは第一板体、第二板体、取外し部品を備える。更に可動バックルは下接続部を含む。それは本体ユニットを含む。該本体ユニット後端はベルト体の一端と組み合わさり、該ベルト体の別一端は該第一板体、該第二板体と該取外し部品と固定部品の間でしっかりと位置する。その後、ベルト体両端と上、下接続部の間がしっかりと固定され、ベルト体が引っ張られた時、長さが縮まないのでペットの頸部を締めて窒息させてしまう事故を確実に防ぐ。
【背景技術】
【０００２】
ペットは、人類のグッドパートナーであり、飼い主が外出する際、ペットと共に出かけることもある。また、ペットを運動させる時、飼い主はペットを連れて外出するが、ペットが勝手に何処かへ行ったり他人を傷つけたりしないよう、飼い主は通常、ペット首輪もしくはペット胴輪等をペットに取り付け、連れ歩きやすくする。
【０００３】
図７から図８に示す公知のペット首輪４は、ペット５(例として犬)の頸部に設置する。
【先行技術文献】
【特許文献】
【０００４】
【特許文献１】特開２０１４−６９１３０号公報
【考案の概要】
【考案が解決しようとする課題】
【０００５】
解決しようとする問題点は、使用するペット首輪４の一部が外部物品６によって引っ張られた時、ペット５が慌てて動き回ることで、その頸部において前述ペット首輪４のベルト体４１の長さが短くなって首が締り窒息させてしまう事故が起こることがある点である。
【０００６】
本考案の考案者は、ペット胴輪及びその関連製品を製造する中で、その長短所を深く知ることになり、その短所を改善し、本考案の可動バックルを提供することにした。
【課題を解決するための手段】
【０００７】
本考案は、上接続部及び下接続部を含む。上接続部は、停止板、停止板前端に設置する導入ユニット、及び停止板後端に設置する挟持ユニットを含む。挟持ユニットは、第一板体、第一板体と間隔を開けて設置する第二板体、第一板体と第二板体を覆って締結する取外し部品、及び取外し部品、第二板体と第一板体にそれぞれ挿入する固定部品を備える。下接続部は、上接続部の導入ユニットと着脱する本体ユニットを含む。本体ユニット後端はベルト体の一端と組み合わさり、ベルト体の別一端は第一板体、第二板体と取外し部品と固定部品の間でしっかりと位置する。本考案は、使用者が先ずペットの頸部に余裕をもって装着するのに適した長さのベルト体を選び、ベルト体両端と上、下接続部の間がしっかりと固定されることを最も主要な特徴とする。
【考案の効果】
【０００８】
本考案の可動バックルは、ベルト体が引っ張られた時、長さが短くなってペットの頸部を締めて窒息させてしまう事故を確実に防ぐという利点がある。
【図面の簡単な説明】
【０００９】
本考案の詳細構造、特徴及びその他の目的を理解するため、以下に本考案の良好な実施例を挙げ、図式と共に説明し、当技術領域に習熟する者が具体的に実施できるようにする。
【００１０】
【図１】本考案の実施例の立体分解図である。
【図２】ベルト体の一端は先ず、取外し部品の内部を通過し、末端部分は第一板体、第二板体の間で制限を受ける状態を説明する図１の組立指示図である。他端が取外し部品により締結されることを説明する図２の組立指示図である。
【図３】ベルト体の別一端が取外し部品に被覆されると、第一板体、第二板体、取外し部品の間でしっかりと位置することを説明する図２の組立指示図である。
【図４】図３の組立完成後の立体外観図である。
【図５】図４の一側の断面の構造指示図である。
【図６】ベルト体を通した完全な構造を説明する図４の全体指示図である。
【図７】公知のペット首輪をペット(例として犬)に取り付けた応用状態指示図である。
【図８】図７の公知のペット首輪の一部分が外部物品によって引っ張られた時の状態指示図である
【考案を実施するための形態】
【００１１】
ベルト体両端と上、下接続部の間をしっかりと固定し、ベルト体が引っ張られた時、長さが短くなってペットの頸部を締めて窒息させてしまう事故を確実に防ぐ可動バックルを提供することを本考案の目的とする。
【００１２】
本考案は主に以下の技術手段で本考案の各項の目的と機能を実現する。可動バックルは上接続部を含み、それは停止板、該停止板前端に設置する導入ユニット、及び該停止板後端に設置する挟持ユニットを含む。該挟持ユニットは第一板体、該第一板体に間隔を開けて設置する第二板体、該第一板体と該第二板体を覆って締結する取外し部品、及び該取外し部品、該第二板体と該第一板体にそれぞれ挿入する固定部品を備える。更に下接続部を含み、それは該上接続部の導入ユニットと着脱する本体ユニットを含み、該本体ユニット後端はベルト体の一端と組み合わさり、該ベルト体の他端は該第一板体、該第二板体と該取外し部品と固定部品の間でしっかりと位置する。
【００１３】
該挟持ユニットの第二板体は、固定部品を貫通する第二孔位置を形成し、前記第一板体に対面する第二掛合体を形成する。
【００１４】
該挟持ユニットの第一板体は固定部品を貫通する該第二孔位置と対応する第一孔位置を形成し、前記第二板体に対面する第一掛合体を形成する。
【００１５】
該挟持ユニットの取外し部品は、該第一孔位置と対応する中空状の下孔位置、及び該下孔位置と対応し該固定部品の末端を押さえる上孔位置を成形する。
【００１６】
該該ベルト体の別一端は嵌合孔を設置し、該嵌合孔には該固定部品を挿入する。
【００１７】
本考案は、使用者が先ずペットの頸部に余裕をもって装着するのに適した長さのベルト体を選び、ベルト体両端と上、下接続部の間をしっかりと固定し、ベルト体が引っ張られた時、長さが短くなってペットの頸部を締めて窒息させてしまう事故を確実に防ぐ。
【実施例】
【００１８】
本考案は、一種の可動バックルであり、添付の図式と本考案の具体的実施例及びその部品は、すべて参考であり、本考案を制限するものでなく、その部品はいかなる位置もしくは空間方向を制限しない。図式と説明書の中の指定のサイズは、本考案の請求項の範囲内から離れず、本考案の具体実施例の設計と需求に基づき変化する。
【００１９】
本考案は、一種の可動バックルであり、図１から図６に示すとおり、その構造は、上接続部１を含み、それは停止板１１、該停止板１１前端に設置する導入ユニット１２、及び該停止板１１後端に設置する挟持ユニット１３を含む。
該挟持ユニット１３は第一板体１３１、該第一板体１３１と間隔を開けて設置する第二板体１３２、該第一板体１３１と該第二板体１３２を覆って締結する取外し部品１３３、該取外し部品１３３、該第二板体１３２と該第一板体１３１にそれぞれ挿入する固定部品１３４を備える。
更に、下接続部２は、該上接続部１の導入ユニット１２と着脱する本体ユニット２１を含む。該本体ユニット２１後端はベルト体３の一端と組み合わさり、該ベルト体３の他端は、前記第一板体１３１、該第二板体１３２と該取外し部品１３３と固定部品１３４の間でしっかりと位置する。
【００２０】
前記挟持ユニット１３の第二板体１３２は、固定部品１３４を貫通する第二孔位置１３２１を形成して前記第一板体１３１に相対する第二掛合体１３２２を形成する。該挟持ユニット１３の第一板体１３１は、固定部品１３４を貫通する該第二孔位置１３２１と対応する第一孔位置１３１１を設け、該第二板体１３２に相対する第一掛合体１３１２を形成する。
該挟持ユニット１３の取外し部品１３３は、該第一孔位置１３１１と対応して固定部品１３４を挿通する下孔位置１３３１を形成し該下孔位置１３３１と対応し該固定部品１３４に対するメクラ孔を形成する上孔位置１３３２を提供する。該ベルト体３の他端には嵌合孔３１を設けて、該嵌合孔３１に該固定部品１３４を挿入して締結する。
【００２１】
本考案は、上記図１から図６に示すとおり、使用者が先ずペットの頸部に余裕をもって装着するのに適した長さのベルト体３を選び、ベルト体３両端を上、下接続部１、２の間を固定することで、ベルト体３が引っ張られた時にもその長さが縮んでペットの頸部を締めて窒息させてしまう事故を起こさない。
【００２２】
但し、以上の説明は本考案の良好な実施例に過ぎず、本考案の請求範囲を制限するものではなく、本考案の請求範囲及び説明書内容の簡単な同効果変化及び修飾はすべて本考案の範囲に含まれる。
【符号の説明】
【００２３】
(本考案)
１        上接続部
１１        停止板
１２        導入ユニット
１３        挟持ユニット
１３１        第一板体
１３１１        第一孔位置
１３１２        第一掛合体
１３２        第二板体
１３２１        第二孔位置
１３２２        第二掛合体
１３３        取外し部品
１３３１        下孔位置
１３３２        上孔位置
１３４        固定部品
２        下接続部
２１        本体ユニット
３        ベルト体
３１        嵌合孔
(公知)
４        ペット首輪
４１        ベルト体
５        ペット
６        外部物品
【図１】
0003212744.tif 000003
【図２】
0003212744.tif 000004
【図３】
0003212744.tif 000005
【図４】
0003212744.tif 000006
【図５】
0003212744.tif 000007
【図６】
0003212744.tif 000008
【図７】
0003212744.tif 000009
【図８】
0003212744.tif 000010